(57)【要約】【課題】ボール又は回転外輪を回転させることで脳の血行を促進し、リラックス効果を生じさせると共に、ボールが転がるときの美的変化を楽しむことのできる指輪を提供する。【解決手段】内輪１３は人の指に装着される。ボール７Ａ、７Ｂ、７Ｃは、張出部１７ａ、１７ｂ、張出部１９及び張出部２１により抑止され、外部に飛び出ることがない。回転リング１５Ａ、１５Ｂはこの内輪１３に対し回動自在である。ボール７Ａ、７Ｂ、７Ｃは、径方向に見て固定用外輪１１Ａ、固定用外輪１１Ｂ、回転リング１５Ａ、１５Ｂの高さよりも所定高さ分突出している。このため、指等でボール７Ａ、７Ｂ、７Ｃを自由に転がすことができ、また周方向にも移動可能である。【選択図】        図２
2007190206.tif 000002
【特許請求の範囲】
【請求項１】
指に装着される内輪と、
該内輪の両端部にそれぞれ内周側を固着され外周側端部に軸方向に延びる張出部を有する固定用外輪と、
該固定用外輪と前記内輪間に周状に収納された複数のボールとを備えたことを特徴とする指輪。
【請求項２】
前記ボールは軸方向に複数段積みされ、
それぞれの段の間に前記内輪回りに回動自在で、かつ外周側端部に軸方向に延びる張出部を有する回転リングを備えたことを特徴とする請求項１記載の指輪。
【請求項３】
前記ボールは、前記固定用外輪の外周より所定長分突設されたことを特徴とする請求項１又は請求項２記載の指輪。
【請求項４】
前記ボールは、前記回転リングの外周より所定長分突設されたことを特徴とする請求項２記載の指輪。
【発明の詳細な説明】
【技術分野】
【０００１】
本発明は指輪に係わり、特にボール又は回転外輪を回転させることで脳の血行を促進し、リラックス効果を生じさせると共に、ボールが転がるときの美的変化を楽しむことのできる指輪に関する。
【背景技術】
【０００２】
従来、ボールが回転する構造を有する指輪として特許文献１に記載された指輪が知られている。この指輪では、外輪と内輪との間にボールを介在させたボールベアリング構造を有している。そして、この特許文献１に記載された指輪では、指輪の側部の内輪と外輪の間から回動するボールを見ることができるようになっている。
【特許文献１】特開２００２−３３０８０４号公報
【発明の開示】
【発明が解決しようとする課題】
【０００３】
しかしながら、特許文献１に記載された指輪では、回動するボール自体に手を触れることはできない。また、ボールの回動する面白さや美的変化を指輪の側部からではなく、指輪の外周面から全周に渡り直接覗ければその面白さや美しさも倍増する。
【０００４】
本発明はこのような従来の課題に鑑みてなされたもので、ボール又は回転外輪を回転させることで脳の血行を促進し、リラックス効果を生じさせると共に、ボールが転がるときの美的変化を楽しむことのできる指輪を提供することを目的とする。
【課題を解決するための手段】
【０００５】
このため本発明（請求項１）の指輪は、指に装着される内輪と、該内輪の両端部にそれぞれ内周側を固着され外周側端部に軸方向に延びる張出部を有する固定用外輪と、該固定用外輪と前記内輪間に周状に収納された複数のボールとを備えて構成した。
【０００６】
ボールは張出部を有する固定用外輪と内輪間に収納されているので外部に落下しない。ボールが周方向に回動することで、ボールが転がるときの美的変化を楽しむことができる。ボールを周状に隙間無く配設すれば、美的効果は非常に高い。組み立て作業も簡単である。
【０００７】
また、本発明（請求項２）の指輪は、前記ボールは軸方向に複数段積みされ、それぞれの段の間に前記内輪回りに回動自在で、かつ外周側端部に軸方向に延びる張出部を有する回転リングを備えて構成した。
【０００８】
ボールは張出部を有する固定用外輪と張出部を有する回転リングと内輪間にそれぞれ収納されているので外部に落下しない。回転リングはボールの段数に応じて少なくとも一つ配設される。ボールが複数段積み重ねられることで、ボールが転がるときの美的変化を一層強調できる。
【０００９】
更に、本発明（請求項３）の指輪は、前記ボールは、前記固定用外輪の外周より所定長分突設されたことを特徴とする。
【００１０】
このことにより、指等でボールに触れることができる。このため、ボールを回転させることで脳の血行を促進し、リラックス効果を生じさせることができる。
【００１１】
更に、本発明（請求項４）の指輪は、前記ボールは、前記回転リングの外周より所定長分突設されたことを特徴とする。
【００１２】
このことにより、指等でボールや回転リングに触れることができる。このため、ボールや回転リングを回転させることで脳の血行を促進し、リラックス効果を生じさせることができる。
【発明の効果】
【００１３】
以上説明したように本発明によれば、張出部を有する固定用外輪と内輪間に複数のボールを収納したことで、ボールは外部に落下しない。そして、ボールが周方向に回動することで、ボールが転がるときの美的変化を楽しむことができる。
【発明を実施するための最良の形態】
【００１４】
以下、本発明の実施形態について説明する。本発明の実施形態である指輪の全体斜視外観図を図１に、また図１中のＡ−Ａ矢視断面図を図２に示す。更に、図３には、指輪の分解斜視構成図を示し、また、図４には、図３の縦断面図を示す。
【００１５】
図１〜図４において、指輪１０の内輪１３は筒状に形成されている。そして、この内輪１３の外周囲には、下から順にボール７Ａ、７Ｂ、７Ｃがそれぞれ隙間無く環状に配設され、各ボール７同士の間が隣接されている。ボール７Ａ、７Ｂ、７Ｃは例えばサファイヤクリスタルにて形成される。
また、ボール７Ａとボール７Ｂの間、及びボール７Ｂとボール７Ｃの間には、それぞれ回動自在の回転リング１５Ａ、１５Ｂが通されている。
【００１６】
回転リング１５Ａ、１５Ｂの縦断面図は、図２及び図４に示すように、内輪１３側が角形である一方で、外周側端部にはＴ字状に図中軸方向上下に向けて突設された張出部１７ａ、１７ｂを有している。この張出部１７ａ、１７ｂは、周状に形成されている。
【００１７】
そして、ボール７Ａの下端には固定用外輪１１Ａが嵌め込まれ、内輪１３との間で溶接固定されている。一方、ボール７Ｃの上端には固定用外輪１１Ｂが嵌め込まれ、内輪１３との間で溶接固定されている。固定用外輪１１Ａの縦断面図は、図２及び図４に示すように、内輪１３側が角形である一方で、外周側端部にはＬ字状に図中軸方向上側に向けて突設された張出部１９を有している。同様に、固定用外輪１１Ｂの縦断面図も、内輪１３側が角形である一方で、外周側端部にはＬ字状に図中軸方向下側に向けて突設された張出部２１を有している。張出部１９及び張出部２１は、周状に形成されている。ボール７Ａ、７Ｂ、７Ｃは、径方向に見て固定用外輪１１Ａ、固定用外輪１１Ｂ、回転リング１５Ａ、１５Ｂの高さよりも所定高さ分突出するようになっている。
【００１８】
かかる構成において、内輪１３は人の指に装着される。ボール７Ａ、７Ｂ、７Ｃは、張出部１７ａ、１７ｂ、張出部１９及び張出部２１により抑止され、外部に飛び出ることがない。回転リング１５Ａ、１５Ｂはこの内輪１３に対し回動自在である。ボール７Ａ、７Ｂ、７Ｃは、径方向に見て固定用外輪１１Ａ、固定用外輪１１Ｂ、回転リング１５Ａ、１５Ｂの高さよりも所定高さ分突出している。このため、指等でボール７Ａ、７Ｂ、７Ｃを自由に転がすことができ、またこのボール７Ａ、７Ｂ、７Ｃを周方向にも移動可能である。
【００１９】
ボール７Ａ、７Ｂ、７Ｃが転がることで、ボール７Ａ、７Ｂ、７Ｃの透過光や反射光によりボール７Ａ、７Ｂ、７Ｃが美しく輝いて見える。ボール７Ａ、７Ｂ、７Ｃや回転リング１５Ａ、１５Ｂを転がすことで指輪１０を装着した人に対し脳の血行を促進し、リラックス効果を生じさせると共に、ボールが転がるときの楽しさ及びリラックス感を与えることができる。
【００２０】
なお、本実施形態では、ボール７Ａ、７Ｂ、７Ｃを軸方向に３段にて構成したが、１段若しくは２段等とすることも可能である。１段とした場合には、回転リング１５は不要であり、また、２段とした場合には回転リング１５は一つのみ必要となる。しかしながら、これらの場合であっても、上記とほぼ同様の効果を得ることができる。
【実施例】
【００２１】
次に、本発明の実施例について説明する。図５には、指輪１０のリングサイズに対する内輪１３の内側直径（ＩＤ）、外側直径（ＯＤ）、固定用外輪１１Ａ、１１Ｂの内側直径（ＩＤ）、外側直径（ＯＤ）及び、回転リング１５Ａ、１５Ｂの内側直径（ＩＤ）、外側直径（ＯＤ）を示す。
【００２２】
なお、これらの寸法の定義を図６の簡略断面図に示す。各指輪のリングサイズに対し、使用したボール７の直径は全て２．０ｍｍである。そして、内輪１３の板厚は０．４ｍｍで、内輪１３の外側直径（ＯＤ）と固定用外輪１１Ａ、１１Ｂの外側直径（ＯＤ）の差、及び、内輪１３の外側直径（ＯＤ）と回転リング１５Ａ、１５Ｂの外側直径（ＯＤ）の差は、共に３．６ｍｍである。
【００２３】
回転リング１５Ａ、１５Ｂは、内輪１３の外周囲を円滑に回動自在とするため内輪１３との間に、片側０．０５ｍｍのクリアランスが設けられている。固定用外輪１１Ａ、１１Ｂは、内輪１３の端部からボール７Ａ、７Ｂ、７Ｃと回転リング１５Ａ、１５Ｂとを配設した後に両端部から嵌め込む。その後、ボール７Ａ、７Ｂ、７Ｃと回転リング１５Ａ、１５Ｂとが、内輪１３回りに回動自在となるように位置関係を調整しつつ最終的に内輪１３と固定用外輪１１Ａ、１１Ｂ間を溶接で固定する。
【００２４】
張出部１７ａ、１７ｂ、張出部１９及び張出部２１の設定方法については、ボール７Ａ、７Ｂ、７Ｃとの間に摩擦が生じないようにすることが望ましい。このため、張出部１７ａ、１７ｂ、張出部１９及び張出部２１に必要な軸方向に向けた張出の高さと内輪１３側の角形部分からの張出の傾斜角等が調整されるのが望ましい。また、張出部１７ａ、１７ｂ、張出部１９及び張出部２１に必要な軸方向に向けた張出の高さは、ボール７Ａ、７Ｂ、７Ｃが外部に脱落しないように調整されるのが望ましい。更に、ボール７Ａ、７Ｂ、７Ｃの高さは、固定用外輪１１Ａ、１１Ｂの外側直径（ＯＤ）及び回転リング１５Ａ、１５Ｂの外側直径（ＯＤ）より０．２ｍｍ突出されているので、指等でボール７Ａ、７Ｂ、７Ｃに触れることができる。また、この程度の比較的低い突設なので、回転リング１５Ａ、１５Ｂを回動させることもできる。
【００２５】
以上により、ボール７Ａ、７Ｂ、７Ｃや回転リング１５Ａ、１５Ｂを指等で転がすことができ、この際には指等のつぼ刺激により脳の血行が促進され、リラックス効果を生じさせると共に、ボールが転がるときの美的変化を楽しむことができる。
【図面の簡単な説明】
【００２６】
【図１】本発明の実施形態である指輪の全体斜視外観図
【図２】図１中のＡ−Ａ矢視断面図
【図３】指輪の分解斜視構成図
【図４】図３の指輪の縦断面図
【図５】指輪の寸法表
【図６】指輪の縦簡略断面図
【符号の説明】
【００２７】
７、７Ａ、７Ｂ、７Ｃ ボール
１０ 指輪
１１Ａ、１１Ｂ 固定用外輪
１３ 内輪
１５Ａ、１５Ｂ 回転リング
１７ａ、１７ｂ 張出部
１９ 張出部
２１ 張出部
【図１】
2007190206.tif 000003
【図２】
2007190206.tif 000004
【図３】
2007190206.tif 000005
【図４】
2007190206.tif 000006
【図５】
2007190206.tif 000007
【図６】
2007190206.tif 000008